(57)【要約】【課題】建築物内への鳥類の侵入および建築物内での鳥害を防止するのに有効な鳥類侵入防止装置を提供すること。【解決手段】複数の細長い可撓性長尺部材と、前記複数の長尺部材を建築物の開口部を塞ぐように隙間をもって複数列でかつ各々を着脱可能に吊り下げる吊り下げ部材とを備え、各長尺部材は、所定値以上の引張荷重がかかると前記吊り下げ部材から離脱するように構成されたことを特徴とする鳥類侵入防止装置。【選択図】図１
2019208425.tif 000002
【特許請求の範囲】
【請求項１】
複数の細長い可撓性長尺部材と、前記複数の長尺部材を建築物の開口部を塞ぐように隙間をもって複数列でかつ各々を着脱可能に吊り下げる吊り下げ部材とを備え、
各長尺部材は、所定値以上の引張荷重がかかると前記吊り下げ部材から離脱するように構成されたことを特徴とする鳥類侵入防止装置。
【請求項２】
前記吊り下げ部材が、建築物の開口部の上縁部付近に水平方向で固定されるレール部と、前記レール部にスライド可能に設けられ前記複数の長尺部材を取り付ける複数の取付部と、前記複数の取付部を前記レール部の長手方向にスライドさせるスライド機構部とを備える請求項１に記載の鳥類侵入防止装置。
【請求項３】
前記吊り下げ部材が、建築物の開口部の上縁部付近に略水平方向で固定される長尺の支持部と、前記支持部に所定間隔をもって固定されて前記複数の長尺部材を吊り下げる複数の取付部とを備える請求項１に記載の鳥類侵入防止装置。
【請求項４】
前記吊り下げ部材が、建築物の開口部に設けられたシャッターのスラットの下端部に固定される複数の連結部と、前記複数の連結部の下端部に設けられた複数のフック部と、前記複数のフック部に着脱可能に引っ掛けられる引っ掛け部を有する長尺の支持部と、前記支持部に所定間隔をもって固定されて前記複数の長尺部材を取り付ける複数の取付部とを備える請求項１に記載の鳥類侵入防止装置。
【請求項５】
前記吊り下げ部材が、前記複数の長尺部材の前記吊り下げ部材への取付間隔を調整可能とする取付間隔調整部を有する請求項３または４に記載の鳥類侵入防止装置。
【請求項６】
前記長尺部材は、脱着部と、前記脱着部に取り付けられる紐状部とを有し、
前記脱着部は、互いに離脱可能に結合する雌型部材および雄型部材を有し、
前記雌型部材および雄型部材のうち、一方は前記吊り下げ部材に直接的または間接的に取り付けられ、他方は前記紐状部の上端部と連結し、
前記紐状部に前記所定値以上の引張荷重がかかると前記雌型部材と前記雄型部材とが分離するように構成された請求項１〜５のいずれか１つに記載の鳥類侵入防止装置。
【請求項７】
前記長尺部材は、前記開口部の下縁部に対して０〜１００ｍｍの高さ範囲内まで垂れ下がる長さを有する請求項１〜６のいずれか１つに記載の鳥類侵入防止装置。
【請求項８】
前記雌型部材および前記雄型部材が樹脂または磁石にて形成されており、
前記樹脂製の前記雌型部材と前記雄型部材とは３ｋｇｆ以上の引張荷重にて分離し、
前記磁石製の前記雌型部材と前記雄型部材とは１ｋｇｆ以上の引張荷重にて分離するように構成されている請求項６に記載の鳥類侵入防止装置。
【請求項９】
前記長尺部材の前記脱着部と前記吊り下げ部材とを連結する取付部材をさらに備えた請求項６に記載の鳥類侵入防止装置。
【発明の詳細な説明】
【技術分野】
【０００１】
本発明は、倉庫や工場等の建築物内への鳥類の侵入を防止する鳥類侵入防止装置に関する。
【背景技術】
【０００２】
倉庫や工場等の比較的大きな建築物では、フォークリフトやトラック等の車両が出入りできるよう間口の広い開口部が設けられていることが多いため、その開口部から建築物内に鳥類が侵入して鳥害が発生している。すなわち、そのような建築物内に鳥類（例えば、ハト、ツバメ等）が侵入した場合は、梁といった構造材上に巣を作り、巣の下方における床面、設備、製品等の上に糞が落下して汚染するという鳥害が発生している。
【０００３】
このような鳥害を防止する方策として、梁となるＨ型鋼の凹所の開口部にワイヤーを張り巡らせ、鳥類がＨ型鋼の凹所に留まることができないようにする鳥類の飛来防止方法が提案されている（例えば、特許文献１参照）。
【先行技術文献】
【特許文献】
【０００４】
【特許文献１】特開２００６−１４６７８号公報
【発明の概要】
【発明が解決しようとする課題】
【０００５】
特許文献１の方法は、建築物内への鳥類の侵入を防止するものではないため、梁となるＨ型鋼の凹所以外の場所、例えば、梁となるＨ型鋼の平らな上面、柱となるＨ型鋼の凹所の突起部、壁面等への営巣を防ぐことはできず、鳥害を防止する根本的な解決方法にはならない。
【０００６】
本発明は、このような課題に鑑みなされたものであり、建築物内への鳥類の侵入および建築物内での鳥害を防止するのに有効な鳥類侵入防止装置を提供することを目的とする。
【課題を解決するための手段】
【０００７】
かくして、本発明によれば、複数の細長い可撓性長尺部材と、前記複数の長尺部材を建築物の開口部を塞ぐように隙間をもって複数列でかつ各々を着脱可能に吊り下げる吊り下げ部材とを備え、
各長尺部材は、所定値以上の引張荷重がかかると前記吊り下げ部材から離脱するように構成された鳥類侵入防止装置が提供される。
【発明の効果】
【０００８】
本発明の鳥類侵入防止装置を建築物の開口部に設置することにより、複数の長尺部材が鳥類の建築物内への侵入を断念させる所定の隙間寸法をもって開口部に垂れ下がるため、鳥類の建築物内への侵入を防止することができ、一方、フォークリフトといった車両の出入りは妨げられることがない。
また、車両による出入りの際、万が一車両に長尺部材が引っ掛かったとしても、長尺部材に所定値以上の引張荷重がかかると長尺部材が吊り下げ部材から離脱する。そのため、吊り下げ部材が長尺部材にて大きな力で引っ張られて建築物の開口部から落下することがなく安全に使用することができると共に、吊り下げ部材の破損も防止することができる。
さらに、離脱した長尺部材は吊り下げ部材に再度取り付けることができるため、長尺部材を長期間使用することができ、長尺部材の交換に要するコストを抑えることができる。
【図面の簡単な説明】
【０００９】
【図１】本発明の鳥類侵入防止装置の実施形態１を倉庫の開口部に設置した使用状態を示す図である。
【図２】図１の倉庫の開口部をフォークリフトが通過する状態を示す側面図である。
【図３】図１の鳥類侵入防止装置における長尺部材を示す斜視図であって、（Ａ）は脱着部の連結状態、（Ｂ）は脱着部の分離状態である。
【図４】図１の鳥類侵入防止装置の一部を省略した正面図である。
【図５】図１の鳥類侵入防止装置の一部を省略した側断面図である。
【図６】図１の鳥類侵入防止装置におけるスライド機構部の開閉動作を説明する図であって、（Ａ）は閉じた状態、（Ｂ）は開いた状態である。
【図７】実施形態２の鳥類侵入防止装置の一部を省略した正面図である。
【図８】図７の鳥類侵入防止装置の一部を省略した側断面図である。
【図９】実施形態２の鳥類侵入防止装置の（Ａ）は変形例１、（Ｂ）は変形例２を示す説明図である。
【図１０】実施形態３の鳥類侵入防止装置の一部を省略した正面図である。
【図１１】図１０の鳥類侵入防止装置の一部を省略した側断面図である。
【発明を実施するための形態】
【００１０】
本発明の鳥類侵入防止装置は、複数の細長い可撓性長尺部材と、前記複数の長尺部材を建築物の開口部を塞ぐように隙間をもって複数列でかつ各々を着脱可能に吊り下げる吊り下げ部材とを備え、
各長尺部材は、所定値以上の引張荷重がかかると前記吊り下げ部材から離脱するように構成されている。
【００１１】
本発明の鳥類侵入防止装置は、次のように構成されてもよく、それらが適宜組み合わされてもよい。
（１）前記吊り下げ部材が、建築物の開口部の上縁部付近に水平方向で固定されるレール部と、前記レール部にスライド可能に設けられ前記複数の長尺部材を取り付ける複数の取付部と、前記複数の取付部を前記レール部の長手方向にスライドさせるスライド機構部とを備えるものであってもよい。
この構成によれば、スライド機構部によって複数の長尺部材を移動させてブラインドのように開口部を開閉させることができる。例えば、頻繁に車両の出入りがあるときは複数の長尺部材を開口部の左右一方側に寄せて開口部を開けておき、車両の出入りが少ないときは複数の長尺部材にて開口部を覆っておくというように、作業状況に応じて開口部を開閉させることができる。なお、この場合、開口部を閉じた状態において、複数の長尺部材が互いに所定の隙間寸法をもって並列するように複数の取付部が所定間隔でスライド機構部に設けられる。
【００１２】
（２）前記吊り下げ部材が、建築物の開口部の上縁部付近に略水平方向で固定される長尺の支持部と、前記支持部に所定間隔をもって固定されて前記複数の長尺部材を吊り下げる複数の取付部とを備えるものであってもよい。
この構成によれば、吊り下げ部材の簡素化および低コスト化を図ることができる。なお、この場合、複数の長尺部材が互いに所定の隙間寸法をもって並列するように複数の取付部が所定間隔で支持部に固定される。
【００１３】
（３）前記吊り下げ部材が、建築物の開口部に設けられたシャッターのスラットの下端部に固定される複数の連結部と、前記複数の連結部の下端部に設けられた複数のフック部と、前記複数のフック部に着脱可能に引っ掛けられる引っ掛け部を有する長尺の支持部と、前記支持部に所定間隔をもって固定されて前記複数の長尺部材を取り付ける複数の取付部とを備えるものであってもよい。
この構成によれば、シャッターのスラットを降ろした状態で支持部を複数のフック部に取り付けまたは取り外しすることができる。そのため、作業終了時に建築物の開口部のシャッターのスラットを降ろしても複数の長尺部材を床面上に放置したままの状態とせずに容易かつ迅速にかたづけることができる。また、作業開始時にも降ろしたシャッターのスラットの下端部に容易かつ迅速に複数の長尺部材を取り付け、シャッターのスラットを上昇させて複数の長尺部材を吊り下げることにより開口部への鳥類の侵入を防止することができる。なお、この場合、複数の長尺部材が互いに所定の隙間寸法をもって並列するように複数の取付部が所定間隔で支持部に固定される。
【００１４】
（４）前記吊り下げ部材が、前記複数の長尺部材の前記吊り下げ部材への取付間隔を調整可能とする取付間隔調整部を有するものであってもよい。
この構成によれば、隙間調整部によって複数の長尺部材への吊り下げ部材の取付間隔を変更することによって、隣接する２本の長尺部材の間の隙間を、鳥類の種類に応じて、鳥類の建築物内への侵入を断念させる適切な間隔に調整することができる。この場合、隣接する２本の長尺部材の間の隙間寸法としては、例えば鳥類がハトやツバメの場合は５０〜２５０ｍｍの範囲内が好ましく、５０ｍｍより狭いと設置すべき長尺部材の本数が増えてコストが増加し、２５０ｍｍより広いと鳥類の建築物内への侵入防止効果が低下する傾向にある。
【００１５】
また、この構成によれば、太さや幅が異なる複数種類の長尺部材を選択的に使用することも可能となる。例えば、幅（太さ）が５ｍｍ程度の紐状の長尺部材を使用する場合と、幅が５０ｍｍ程度の帯状の長尺部材を使用する場合とでは、幅の違いが４５ｍｍもあるため、紐状長尺部材間の隙間寸法と帯状長尺部材の隙間寸法が同じ（例えば５０ｍｍ）であっても、複数の紐状長尺部材の吊り下げ部材への取付間隔よりも帯状長尺部材の吊り下げ部材への取付間隔を広げる必要がある。このような場合でも、隙間調整部によって複数の長尺部材の吊り下げ部材への取付間隔を変更することによって、太さや幅が異なる複数種類の長尺部材を選択的に使用することが可能となり、異なる種類の長尺部材を併用することも可能となる。
【００１６】
（５）前記長尺部材は、脱着部と、前記脱着部に取り付けられる紐状部とを有し、
前記脱着部は、互いに離脱可能に結合する雌型部材および雄型部材を有し、
前記雌型部材および雄型部材のうち、一方は前記吊り下げ部材に直接的または間接的に取り付けられ、他方は前記紐状部の上端部と連結し、
前記紐状部に前記所定値以上の引張荷重がかかると前記雌型部材と前記雄型部材とが分離するように構成されたものであってもよい。
この構成によれば、幅の広い帯状部に比べて細い紐状部であれば、建築物の開口部に並列した複数の長尺部材をフォークリフトといった搬送車両が潜りやすくなると共に、風による長尺部材のばたつきが抑えられるため、強風時であっても車両の出入りに支障を与えにくくすることができる。
また、脱着部として雌型部材および雄型部材からなる樹脂製の市販品を用いることができ、低コストにて脱着部を得ることができる。
なお、紐状部の素材は特に限定されるものではないが、適度な可撓性、比重、引っ張り強度、摩擦抵抗等を有するものが好ましく、例えば、直径４〜６ｍｍ程度のロープ、ゴム紐等が好適である。
【００１７】
（６）前記長尺部材は、前記開口部の下縁部に対して０〜１００ｍｍの高さ範囲内まで垂れ下がる長さを有するものであってもよい。
この構成によれば、建築物内への鳥類の侵入を効果的に防止することができる。
なお、長尺部材の長さは、前記開口部の下縁部に対して０〜１００ｍｍの高さ範囲内まで垂れ下がる長さに限定されるものではないが、長尺部材が地面に這う（０ｍｍより長い）のは材料費の無駄であると共に、走行中の搬送車両が長尺部材を踏みつけて脱着部が分離する事態が頻発するおそれがあるため好ましくない。また、長尺部材の長さが、開口部の下縁部に対して１００ｍｍよりも高い位置まで垂れ下がる長さであると、長尺部材の下を鳥類が潜りやすくなって建築物内への侵入防止効果が低下する傾向にある。
【００１８】
（７）前記雌型部材および前記雄型部材が樹脂または磁石にて形成されており、
前記樹脂製の前記雌型部材と前記雄型部材とは３ｋｇｆ以上の引張荷重にて分離し、
前記磁石製の前記雌型部材と前記雄型部材とは１ｋｇｆ以上の引張荷重にて分離するように構成されてもよい。
この構成によれば、走行中の搬送車両と長尺部材との間の摩擦抵抗程の小さな引張荷重によっては脱着部が分離せず、かつ吊り下げ部材が破損または脱落する程の大きな引張荷重がかかる前には脱着部が分離する。
【００１９】
以下、図面を用いてこの発明をさらに詳述する。なお、以下の説明は、すべての点で例示であって、この発明を限定するものと解されるべきではない。
【００２０】
（実施形態１）
図１は本発明の鳥類侵入防止装置の実施形態１を倉庫の開口部に設置した使用状態を示す図であり、図２は図１の倉庫の開口部をフォークリフトが通過する状態を示す側面図である。
本発明の鳥類侵入防止装置１が取り付けられる建築物５０としては、例えば、フォークリフトといった搬送車両６０が出入り可能な開口部５１を有する建築資材倉庫、機械部品倉庫、製缶倉庫等の倉庫が挙げられるが、倉庫に限定されるものではない。
【００２１】
このような建築物５０の開口部５１には通常シャッターが設けられているが、営業時間内は搬送車両６０が出入りするため開口部５１を開いたままとしており、開口部５１からハト、ツバメ、スズメ等の鳥Ｂが建築物５０内に侵入して巣を作り、建築物５０内の製品が鳥Ｂの糞によって汚染されるといった問題が生じる場合がある。
本発明の鳥類侵入防止装置１を建築物５０の開口部５１に取り付けることにより、搬送車両６０の出入りを妨げることなく鳥Ｂの建築物５０内への侵入を防止することができる。
以下、本発明の鳥類侵入防止装置１の具体的な構成について説明する。
【００２２】
図３は図１の鳥類侵入防止装置における長尺部材を示す斜視図であって、（Ａ）は脱着部の連結状態、（Ｂ）は脱着部の分離状態である。
図１〜図３に示すように、実施形態１の鳥類侵入防止装置１は、複数の可撓性長尺部材１０と、建築物５０の開口部５１を覆うように複数の長尺部材１０を所定の隙間寸法Ｗをもって複数列でかつ着脱可能に吊り下げる吊り下げ部材２０とを備え、長尺部材１０に所定値以上の引張荷重がかかると長尺部材１０が吊り下げ部材２０から離脱するように構成されている。
【００２３】
隣接する２本の長尺部材１０の間の隙間寸法Ｗとしては、建築物５０への侵入を防止しようとする鳥類がハトやツバメやスズメの場合は５０〜２５０ｍｍの範囲内に設定され、５０〜２００ｍｍの範囲内が好ましく、５０〜１５０ｍｍの範囲内がより好ましい。なお、隙間寸法Ｗが５０ｍｍより狭いと設置すべき長尺部材１０の本数が増えてコストが増加し、２５０ｍｍより広いと鳥類の建築物５０内への侵入防止効果が低下する傾向にある。
【００２４】
＜長尺部材＞
図３（Ａ）および（Ｂ）に示すように長尺部材１０は、互いに離脱可能に結合する雌型部材１１ａおよび雄型部材１１ｂを有する脱着部１１と、脱着部１１に取り付けられる紐状部１２とを有する。
脱着部１１は、吊り下げ部材２０に取付部材３０を介して間接的に取り付けられる前記雌型部材１１ａと、紐状部１２の上端部１２ａと連結する前記雄型部材１１ｂとを有し、紐状部１２に前記所定値以上の引張荷重がかかると雌型部材１１ａと雄型部材１１ｂとが分離するように構成されている。
【００２５】
脱着部１１の雌型部材１１ａは、取付部材３０の後述する紐部３１の下端部３１ｂに取り付けられる筒状保持部１１ａ1と、筒状保持部１１ａ1の下端から下方に対向状に突出する一対の突出片１１ａ2と、各突出片１１ａ2に形成された孔部１１ａ3とを有する。
脱着部１１の雄型部材１１ｂは、紐状部１２の上端部に取り付けられる筒状保持部１１ｂ1と、筒状保持部１１ｂ1の上端から上方へ突出するキノコ形の膨出部１１ｂ2とを有する。
【００２６】
雄型部材１１ｂの膨出部１１ｂ2は細い軸部の先端に半球が連結した形状であり、膨出部１１ｂ2の半球部分を雌型部材１１ａの一対の突出片１１ａ2の間に押し込むことにより、一対の突出片１１ａ2が弾性変形してこれらの間隔が広がり、一対の突出片１１ａ2の間に膨出部１１ｂ2の半球部分が収納される。このとき、一対の突出片１１ａ2の各孔部１１ａ3に膨出部１１ｂ2の半球部分が引っ掛かって抜け止めされると共に、膨出部１１ｂ2の半球部分を中心として雄型部材１１ｂが回動可能に雌型部材１１ａに連結される。
【００２７】
また、脱着部１１は、雌型部材１１ａおよび雄型部材１１ｂに互いに離間する方向の引張荷重が加わり、その引張荷重が所定値以上（この場合、３ｋｇｆ以上）となると膨出部１１ｂ2の半球部分が一対の突出片１１ａ2の間から抜け出るように構成されている。
なお、脱着部１１の雌型部材１１ａおよび雄型部材１１ｂとしては、紐の端部を噛み込んだ状態でロックできるよう開閉可能に構成された樹脂製の市販品を用いることができる。
【００２８】
紐状部１２としては、例えば、可撓性を有するゴム紐、多数の繊維を編み込んで形成したロープ等を用いることができ、図３では、複数の鋭角部分が放射線上に配置されかつ中心孔を有する横断面形状に形成されたゴム紐を用いた場合を例示している。
紐状部１２の太さとしては、例えば、４〜６ｍｍ程度とすることができる。
【００２９】
また、脱着部１１および紐状部１２を含む長尺部材１０の長さＬとしては、建築物５０の開口部５１の高さおよび後述する取付部材３０の長さにもよるが、建築物５０の開口部５１の下縁部５１ａ（図１）に対して０〜１００ｍｍの高さ範囲内まで垂れ下がる長さに設定される。なお、図１では、長尺部材１０が建築物５０の開口部５１の下縁部５１ａに対して０ｍｍの高さ範囲まで垂れ下がる長さＬに設定された場合を例示している。
【００３０】
なお、長尺部材１０の長さＬは、建築物５０の開口部５１の下縁部５１ａに対して０〜１００ｍｍの高さ範囲内まで垂れ下がる長さに限定されるものではないが、長尺部材１０が地面に這う（下縁部５１ａからの高さ０ｍｍより長い）のは材料費の無駄であると共に、走行中の搬送車両６０（図２）が長尺部材１０を踏みつけて脱着部１１が分離する事態が頻発するおそれがあるため好ましくない。また、長尺部材１０の長さＬが、開口部５１の下縁部５１ａに対して１００ｍｍよりも高い位置まで垂れ下がる長さであると、長尺部材１０の下を鳥類が潜りやすくなって建築物５０内への侵入防止効果が低下する傾向にある。
【００３１】
＜取付部材＞
図３（Ａ）および（Ｂ）に示すように、取付部材３０は、前記紐部３１と、紐部３１の上端部３１ａに巻き付けられる取付孔形成部３２と、取付孔形成部３２に巻き付けられた紐部３１の上端部３１ａを結束する結束部３３とを有する。
紐部３１としては、長尺部材１０の紐状部１２と同じ素材（ゴム紐、ロープ等）を用いることができる。
取付孔形成部３２は、中心孔３２ａ1を有するボルト部材３２ａと、ボルト部材３２ａの雄ネジ部に螺合するナット部材３２ｂとを有し、樹脂製の市販品を用いることができる。
結束部３３としては、紐を通した状態で噛み込んで結束する樹脂製の市販品を用いることができる。
【００３２】
取付部材３０は、紐部３１の上端部３１ａをＵ形に折り曲げて結束部３３内に通し、それによって形成された紐部３１の輪部にボルト部材３２ａの雄ネジ部を通してナット部材３２ｂにて締め付け、ボルト部材３２ａに巻き付けられた紐部３１の上端部３１ａが抜けないように結束部３３にて結束することにより組み立てることができる。
【００３３】
＜吊り下げ部材＞
図４は図１の鳥類侵入防止装置の一部を省略した正面図であり、図５は図１の鳥類侵入防止装置の一部を省略した側断面図である。また、図６は図１の鳥類侵入防止装置におけるスライド機構部の開閉動作を説明する図であって、（Ａ）は閉じた状態、（Ｂ）は開いた状態である。
【００３４】
図１、図２、図４〜図６に示すように、吊り下げ部材２０は、建築物５０の開口部５１の上縁部５１ｂ付近に水平方向で固定されるレール部２１と、レール部２１にスライド可能に設けられた複数の長尺部材１０を取り付ける複数の取付部２２と、複数の取付部２２をレール部２１に沿って長手方向にスライドさせるスライド機構部２３とを備える。
【００３５】
レール部２１は、取付部２２の後述する車輪２２ａを走行させる底板部２１ａと、底板部２１ａの長手方向に沿って設けられたスリット２１ｂとを有する中空の角材であり、例えば、建築物５０の開口部５１の上縁部５１ｂに沿って設けられた梁部材５２にブラケット２１ｘを介して取り付けられる。
【００３６】
取付部２２は、一対の前記車輪２２ａと、一対の車輪２２ａを連結する軸部に枢着されたフック２２ｂとを有する。
取付部２２において、レール部２１の底板部２１ａ上に一対の車輪２２ａが載せられ、かつフック２２ｂがスリット２１ｂに通されて外部下方へ吊り下げられた状態となる。そして、複数のフック２２ｂに複数の長尺部材１０に連結された取付部材３０の取付孔形成部３２が引っ掛けられる。
【００３７】
＜スライド機構部＞
スライド機構部２３は、複数の取付部２２が取り付けられたレール部２１の一端部側にスライド可能に配置されたスライド板２３ａと、複数の取付部２２のフック２２ｂを所定間隔で連結するワイヤー２３ｂと、レール部２１の一端部側に垂直軸心Ｐ1を中心に回動可能に設けられた第１ローラ（リターンローラ）２３ｃと、レール部２１の他端部側に水平軸心Ｐ2を中心に回動可能に設けられた一対の第２ローラ（ガイドローラ）２３ｄと、建築物５０内の床面Ｆ上に立設された支柱２３ｅと、支柱２３ｅ上に水平軸心Ｐ2と直交方向の水平軸心Ｐ３を中心に回動可能に設けられた第３ローラ２３ｆと、スライド板２３ａを介して第１ローラ２３ｃ、一対の第２ローラ２３ｄおよび第３ローラ２３ｆに張設されるロープ２３ｇとを備える。
【００３８】
このスライド機構部２３において、スライド板２３ａは、レール部２１内を走行可能な水平板部２３ａ1と、スリット２１ｂを通るように水平板部２３ａ1から垂れ下がる垂下板部２３ａ2とを有している。また、ワイヤー２３ｂは、その一端部２３ｂ1がスライド板２３ａの垂下板部２３ａ2に固定され、かつ他端部２３ｂ2がレール部２１の他端部側に固定されている。
【００３９】
＜実施形態１の鳥類侵入防止装置の作用効果について＞
このように構成された実施形態１の鳥類侵入防止装置１によれば、図１、図２、図４および図６に示すように、スライド機構部２３が閉じた状態においては、建築物５０の開口部５１を覆うように複数の長尺部材２０および取付部材３０が縄のれんの如く吊り下げられる。このとき、隣接する２つの長尺部材１０の間の隙間寸法Ｗは鳥類の建築物５０内への侵入を断念させる寸法（例えば、５０〜２５０ｍｍの範囲内）となり、各長尺部材１０の下端部が開口部５１の下縁部５１ａに撓むことなく接する。
【００４０】
したがって、鳥Ｂの建築物５０内への侵入が防止されるが、搬送車両６０は長尺部材１０を潜って建築物５０を出入りすることができる。また、搬送車両６０が建築物５０を出入りする際に長尺部材１０が搬送車両６０に引っ掛かった場合、長尺部材１０が搬送車両６０によって引っ張られるが、長尺部材１０の脱着部１１が所定値以上（この場合、３ｋｇｆ以上）の引張荷重で引っ張られると雌型部材１１ａから雄型部材１１ｂが離脱するため、長尺部材１０、取付部材３０および吊り下げ部材２０へのダメージが回避され、搬送車両６０の走行にも支障を与えることはない。なお、作業中または作業後に、作業者が脚立等に上って離脱した長尺部材１０の雄型部材１１ｂを雌型部材１１ａに連結すればよい。
【００４１】
また、実施形態１の鳥類侵入防止装置１によれば、図４、図６（Ａ）および（Ｂ）に示すように、作業者が第３ローラ２３ｆ側の一方のロープ２３ｇを矢印Ｋ方向へ引っ張ることにより、スライド板２３ａがレール部２１の一端部側（図６（Ａ））から他端部側（図６（Ｂ）の矢印Ｋ方向）へ移動すると共に、スライド板２３ａの水平板部２３ａ1によって隣接する取付部２２（フック２２ｂ）が矢印Ｋ方向に押され、さらに次々に複数の取付部２２が矢印Ｋ方向に押されることにより、複数の長尺部材１０がレール部２１の他端側に寄せられ、建築物５０の開口部５１が複数の長尺部材１０によって覆われない状態となる。したがって、搬送車両６０の建築物５０への出入りが頻繁なときや、鳥類の営巣行為が行われない時期等では、複数の長尺部材１０をレール部２１の他端側に寄せて開口部５１を大きく開いてもよい。
【００４２】
なお、作業者が第３ローラ２３ｆ側の他方のロープ２３ｇを引っ張ることにより、スライド板２３ａが矢印Ｋ方向とは反対方向に移動するため、ワイヤー２３ｂを介して複数の取付部２２（フック２２ｂ）が矢印Ｋ方向とは反対方向に移動し、建築物５０の開口部５１が複数の長尺部材１０および取付部材３０によって覆われた状態に戻る（図１、図６（Ａ））。
【００４３】
（実施形態２）
図７は実施形態２の鳥類侵入防止装置の一部を省略した正面図であり、図８は図７の鳥類侵入防止装置の一部を省略した側断面図である。なお、図７と図８において、図１〜図５中の要素と同様の要素には同一の符号を付している。
【００４４】
図７と図８に示すように、実施形態２の鳥類侵入防止装置１０１は、吊り下げ部材１２０と、複数の取付部材１３０を介して吊り下げ部材１２０に吊り下げられる実施形態１と同様の複数の長尺部材１０とを備え、吊り下げ部材１２０および取付部材３０の構成が実施形態１とは異なる以外は、概ね実施形態１と同様に構成されている。
以下、実施形態２における実施形態１とは異なる点を主に説明する。
【００４５】
＜吊り下げ部材＞
図１、図７および図８に示すように、実施形態２の鳥類侵入防止装置１０１において、吊り下げ部材１２０は、建築物５０の開口部５１の上縁部５１ｂ付近に略水平方向で固定される長尺の支持部１２１と、支持部１２１に所定間隔をもって固定されて複数の長尺部材１０を吊り下げる複数の取付部１２２とを備える。
【００４６】
支持部１２１は、長尺の角材１２１ａと、建築物５０の開口部５１の上縁部５１ｂ付近の壁面５４に角材１２１ａを固定する複数のアングル１２１ｂとを有する。
角材１２１ａは、上下両面および前後両面に長手方向に延びる蟻溝１２１ａ1を有しており、前後両面にはそれぞれ上下二段に蟻溝１２１ａ1が形成されている。
アングル１２１ｂは、壁面５４に固定されるアンカーボルト１２１ｂ1を挿通させる挿通孔と、角材１２１ａの上面側の蟻溝１２１ａ1から上方へ突出したボルト１２１ｂ2の雄ネジ部を挿通させる挿通孔を有し、ボルト１２１ｂ2の雄ネジ部にナット１２１ｂ3を螺着することにより角材１２１ａを固定する。
【００４７】
取付部１２２は、支持部１２１の角材１２１ａを前後両面側から挟み込む一対の挟持部材１２２ａと、一対の挟持部材１２２ａを角材１２１ａの蟻溝１２１ａ1に固定するボルト１２２ｂとを有する。なお、ボルト１２２ｂの雄ネジ部が挿入される蟻溝１２１ａ1内にはナット１２２ｃが設けられている。
一対の挟持部材１２２ａは、角材１２１ａの前後両面側の上の蟻溝１２１ａ1に引っ掛かる折り曲げ片１２２ａ1をそれぞれ有すると共に、互いに接触状に対向する対向片１２２ａ2をそれぞれ有し、各対向片１２２ａ2には取付部材１３０のボルト３２ａの雄ネジ部を挿通させる挿通孔が設けられている。
【００４８】
＜取付部材＞
取付部材１３０は、実施形態１の取付部材３０（図３）と同様の紐部３１、取付孔形成部３２および結束部３３を有するが、次の点が実施形態１とは異なる。
すなわち、取付孔形成部３２のボルト３２ａを一対の挟持部材１２２ａの挿通孔に通してナット３２ｂにて締め付け、そのボルト３２ａの中心孔３２ａ１に紐部３１の上端部３１ａを通して結束部３３にて結束する。
【００４９】
＜実施形態２の鳥類侵入防止装置の作用効果について＞
このように構成された実施形態２の鳥類侵入防止装置１０１によれば、吊り下げ部材１２０の支持部１２１に対する複数の取付部１２２の固定位置は、角材１２１ａの蟻溝１２１ａ1に固定するボルト１２２ｂによって位置決めされる。つまり、各取付部１２２のボルト１２２ｂを蟻溝１２１ａ1に沿って移動させて所望の位置で固定することにより、隣接する２つの長尺部材１０の間の隙間寸法Ｗ（図１）を所望の寸法に設定することができる。なお、隙間寸法Ｗは、実施形態１と同様に、例えば５０〜２５０ｍｍの範囲内とされる。
【００５０】
したがって、実施形態２の鳥類侵入防止装置１０１は、実施形態１の鳥類侵入防止装置１と同様に鳥類の建築物５０内への侵入防止効果を奏することに加えて、吊り下げ部材１２０が、複数の長尺部材１０の吊り下げ部材１２０への取付間隔を自由に調整可能とする取付間隔調整部を備えていることも相違点として含んでいる。なお、この取付間隔調整部とは、支持部１２１に対して取付部１２２を長手方向へスライドさせてボルト１２２ｂにて位置決めできる機構を意味するものである。
【００５１】
（実施形態２の変形例１および２）
図９は実施形態２の鳥類侵入防止装置の（Ａ）は変形例１、（Ｂ）は変形例２を示す説明図である。なお、図９（Ａ）および（Ｂ）において、図８中の要素と同様の要素には同一の符号を付している。
実施形態２では壁面５４に吊り下げ部材１２０のＬ形のアングル１２１ｂを固定した場合（図８）を例示したが、図９（Ａ）に示すように吊り下げ部材の固定箇所が梁または天井の下面５４ｘである場合は、Ｌ形のアングル１２１ｂの代わりに、両端部がアンカーボルト１２１ｂ1にて下面５４ｘに固定され、かつ略Ｕ形に折れ曲がった中間部がボルト・ナット結合によって角材１２１ａを取り付ける吊り金具１２１ｘを用いることができる。
また、図９（Ｂ）に示すように吊り下げ部材の固定箇所が中空材５４ｙである場合も、Ｌ形のアングル１２１ｂの代わりに同様の吊り金具１２１ｘを用いることができる。
【００５２】
（実施形態３）
図１０は実施形態３の鳥類侵入防止装置の一部を省略した正面図であり、図１１は図１０の鳥類侵入防止装置の一部を省略した側断面図である。なお、図１０と図１１において、図７と図８中の要素と同様の要素には同一の符号を付している。
【００５３】
図１０と図１１に示すように、実施形態３の鳥類侵入防止装置２０１は、吊り下げ部材２２０と、複数の取付部材１３０を介して吊り下げ部材２２０に吊り下げられる実施形態１および２と同様の複数の長尺部材１０とを備え、吊り下げ部材２２０の構成が実施形態２とは異なる以外は、概ね実施形態２と同様に構成されている。
以下、実施形態３における実施形態２とは異なる点を主に説明する。
【００５４】
＜吊り下げ部材＞
実施形態３の鳥類侵入防止装置２０１において、吊り下げ部材２２０は、建築物５０の開口部５１（図１）に設けられたシャッターのスラット５３の下端部５３ａに固定される複数の連結部２２１と、複数の連結部２２１の下端部に設けられた複数のフック部２２２と、複数のフック部２２２に着脱可能に引っ掛けられる引っ掛け部２２３ａを有する長尺の支持部２２３と、支持部２２３に所定間隔をもって固定されて複数の長尺部材１０を取り付ける実施形態２と同様の複数の取付部１２２とを備える。なお、図１１において、符号５４はシャッターのガイドレールを示し、符号５４ａはガイドレール５４の溝を示している。
【００５５】
連結部２２１は、シャッターのスラット５３の下端部５３ａにボルト２２１ａ1およびナット２２１ａ2にて固定される複数の取付座２２１ａと、取付座２２１ａに長手方向の中間部が固定されたワイヤー２２１ｂとを有する。
フック部２２２は、金属板をレの字形に折り曲げて作製され、その上端部に設けられた一対の孔部にワイヤー２２１ｂの両端部が通されて抜け止め部２２１ｂ1にて抜け止めされている。
また、フック部２２２は、抜け止め部２２１ｂ1の下部に設けられたネジ孔に蝶ネジ２２２ａが螺着している。この蝶ネジ２２２ａは、後述の引っ掛け部２２３ａがフック部２２２から不意に抜け出ないようにする役割を担う。
【００５６】
支持部２２３は、実施形態２と同様の角材１２１ａと、角材１２１ａの上面側の蟻溝に引っ掛けられた倒立Ｔ形の前記引っ掛け部２２３ａと、角材１２１ａの長手方向の両端部に水平軸心Ｐ４を中心に回動可能に枢着された一対の円形回動板２２３ｂとを有する。
実施形態３の場合、角材１２１ａはシャッターの一対のガイドレール５４の間隔よりも長く形成されており、その両端部に配置された一対の円形回動板２２３ｂが一対のガイドレール５４の内側面（室内側の面）に当接している。
また、引っ掛け部２２３ａは、フック部２２２の折り曲がった先端部を挿入させる挿入孔２２３ａ1を有している。
【００５７】
＜実施形態３の鳥類侵入防止装置の作用効果について＞
このように構成された実施形態３の鳥類侵入防止装置２０１によれば、シャッターのスラット５３を降ろした状態で支持部２２３を複数のフック部２２２に取り付けまたは取り外しすることができる。そのため、作業終了時に建築物５０の開口部５１（図１）のシャッターのスラット５３を降ろしても複数の長尺部材１０を床面Ｆ上に放置したままの状態とせずに容易かつ迅速にかたづけることができる。また、作業開始時にも降ろしたシャッターのスラット５３の下端部５３ａに容易かつ迅速に複数の長尺部材１０を取り付け、スラット５３を上昇させて複数の長尺部材１０を吊り下げることにより開口部５１への鳥類の侵入を防止することができる。
【００５８】
また、シャッターのスラット５３を下降させる際、一対の円形回動板２２３ｂがガイドレール５４の内側面（室内側の面）を転がり、それによって支持部２２３、複数の取付部材１３０および複数の長尺部材１０がスラット５４の真下位置から室内側へ位置ずれしているため、これらが下降したスラット５３の下端部５３ａによって踏みつけられることがなく、シャッターを正常に閉じさせることができる。
【００５９】
また、実施形態３の鳥類侵入防止装置２０１も、実施形態２と同様に、吊り下げ部材２２０が、複数の長尺部材１０の吊り下げ部材２２０への取付間隔を自由に調整可能とする取付間隔調整部を備えているため、複数の長尺部材１０が互いに所定の隙間寸法Ｗをもって並列するように複数の取付部１２２を所定間隔で支持部２２３に固定することができる。
【００６０】
（他の実施形態）
１．実施形態１では、長尺部材１０を吊り下げ部材２０に取付部材３０を介して間接的に取り付けた場合を例示したが、長尺部材１０を吊り下げ部材２０に直接的に取り付けてもよい。この場合、図３で説明した長尺部材１０の脱着部１１における雌型部材１１ａの筒状保持部１１ａ1を中実に形成し、かつ吊り下げ部材２０のフック２２ｂを引っ掛ける孔部を形成すればよい。
【００６１】
２．実施形態２では、長尺部材１０を吊り下げ部材１２０に取付部材１３０を介して間接的に取り付けた場合を例示したが、長尺部材１０を吊り下げ部材１２０に直接的に取り付けてもよい。この場合、図３で説明した長尺部材１０の脱着部１１における雌型部材１１ａの筒状保持部１１ａ1を中実に形成し、かつ吊り下げ部材１２０の取付部１２２の挿通孔に引っ掛けるフック部を形成すればよい。実施形態３についても同様である。
【００６２】
３．実施形態１〜３において、長尺部材１０の脱着部１１の雌型部材１１ａを下に配置して紐状部１２と連結させ、かつ雄型部材１１ｂを上に配置して取付部材３０、１３０の紐部３１と連結させるようにしてもよい。
【００６３】
４．実施形態１〜３では、長尺部材１０の脱着部１１として互いに離脱可能に結合する樹脂製の雌型部材１１ａおよび雄型部材１１ｂを用いた場合を例示したが、雌型部材１１ａおよび雄型部材１１ｂのいずれか一方を磁石にて凹形に形成し、かつ他方を磁石または磁石と磁力にて吸着可能な磁性体（例えば、鉄、ステンレス鋼といった金属）にて凸形に形成してもよい。この場合、雌型部材１１ａおよび雄型部材１１ｂに所定値以上（例えば、１ｋｇｆ以上）の引張荷重がかかると互いに分離するように磁力を設定することが好ましい。なお、磁石や磁性体が落下して破損したり、落下する際に磁石や磁性体が人、運搬車両、製品等に当たって傷つけないように、磁石および磁性体を樹脂にて被覆してもよい。
【００６４】
なお、開示された実施の形態は、全ての点で例示であって制限的なものではないと考えられるべきである。本発明の範囲は上述の説明ではなくて特許請求の範囲によって示され、特許請求の範囲と均等の意味及び範囲内での全ての変更が含まれることが意図される。
【符号の説明】
【００６５】
１、１０１、２０１  鳥類侵入防止装置
１０  長尺部材
１１  脱着部
１１ａ  雌型部材
１１ｂ  雄型部材
１２  紐状部
２０  、１２０、２２０  吊り下げ部材
２１  レール部
２２、１２２  取付部
２３  スライド機構部
５０  建築物
５１  開口部
５１ｂ  上縁部
５３  スラット
５３ａ  下端部
１２１、２２３  支持部
１２１ａ1  蟻溝（取付間隔調整部）
２２１  連結部
２２２  フック部
２２３ａ  引っ掛け部
Ｌ  長さ
Ｗ  隙間寸法
【図１】
2019208425.tif 000003
【図２】
2019208425.tif 000004
【図３】
2019208425.tif 000005
【図４】
2019208425.tif 000006
【図５】
2019208425.tif 000007
【図６】
2019208425.tif 000008
【図７】
2019208425.tif 000009
【図８】
2019208425.tif 000010
【図９】
2019208425.tif 000011
【図１０】
2019208425.tif 000012
【図１１】
2019208425.tif 000013